(57)【特許請求の範囲】
【請求項１】
複数の乗りかごと、
乗りかご外の箇所からの操作や各階床の乗場以外の箇所からの操作により呼び登録を行なう呼び登録手段と、
前記呼び登録手段により登録した呼び登録情報および前記呼び登録手段による呼び登録のための操作箇所に対応する待ち時間情報を出力する出力手段と、
前記出力手段により出力された呼び登録情報にしたがって応答させる乗りかごを前記複数の乗りかごから選択する割当制御手段と、
前記割当制御手段により選択して前記呼び登録情報にしたがって応答した乗りかごへの乗客の乗車を検知する検知手段と、
前記呼び登録手段による呼び登録を行なった時点を起点として前記待ち時間が経過する時点までに前記割当制御手段により選択した乗りかごが前記呼び登録情報にしたがって応答した場合には前記待ち時間が経過する時点までは前記検知手段による乗車の検知の有無に関わらず戸開待機させ、前記応答後であって前記呼び登録を行なった時点を起点とした待ち時間が経過した後は前記検知手段により乗車を検知した場合に戸開待機を終了させ、前記呼び登録を行なった時点を起点とした前記待ち時間が経過した後に前記選択した乗りかごが前記呼び登録情報にしたがって応答した場合には通常の戸開待機時間が経過するまでは前記検知手段による検知の有無に関わらず戸開待機させ、当該戸開待機時間の経過後は前記検知手段により乗車を検知した場合に戸開待機を終了させる戸開制御手段と
を備えたことを特徴とするエレベータ。
【請求項２】
複数の乗りかごと、
乗りかご外の箇所からの操作や各階床の乗場以外の箇所からの操作により呼び登録を行なう呼び登録手段と、
前記呼び登録手段により登録した呼び登録情報および前記呼び登録手段による呼び登録のための操作箇所に対応する待ち時間情報を出力する出力手段と、
前記出力手段により出力された呼び登録情報にしたがって応答させる乗りかごを前記複数の乗りかごから選択する割当制御手段と、
前記割当制御手段により選択して前記呼び登録情報にしたがって応答した乗りかごへの乗客の乗車を検知する検知手段と、
前記呼び登録手段による呼び登録を行なった時点を起点として前記待ち時間が経過した後に前記検知手段により前記呼び登録情報にしたがって応答した乗りかごへの乗車を検知した場合に戸開を終了させる戸開制御手段と
を備え、
前記戸開制御手段は、
前記割当制御手段により選択して前記呼び登録情報にしたがって応答した乗りかごについて、前記呼び登録を行なった時点を起点とした待ち時間が経過した後に前記検知手段により乗車を検知しない状態で所定の時点となり、かつ他階の一定数以上の乗場呼びが発生している場合には戸開待機を終了させ、
前記割当制御手段は、
前記割当制御手段により選択して前記呼び登録情報にしたがって応答した乗りかごについて、前記呼び登録を行なった時点を起点とした待ち時間が経過した後に前記検知手段により乗車を検知しない状態で所定の時点となり、かつ他階の一定数以上の乗場呼びが発生している事により戸開待機が終了して発車した場合に当該発車した階床へ応答させる乗りかごを前記複数の乗りかごから再度選択する
ことを特徴とするエレベータ。
【請求項３】
外来者の建物への入場を許可して前記建物の入退出口のドアロックを解除するドアロック解除手段をさらに備え、
前記呼び登録手段は、
前記ドアロック解除手段によりドアロックを解除した場合に前記入退出口の階床の呼び登録を受け付ける
ことを特徴とする請求項１または請求項２に記載のエレベータ。
【請求項４】
前記呼び登録手段は、
居住者の居室からの操作により当該居室の階床の呼び登録を受け付ける
ことを特徴とする請求項１または請求項２に記載のエレベータ。
【請求項５】
前記呼び登録手段による呼び登録のための操作箇所に対応する待ち時間情報を記憶する記憶装置と、
入力操作にしたがって前記記憶装置に記憶される待ち時間情報を書き換える書き換え手段と
をさらに備えたことを特徴とする請求項１または請求項２に記載のエレベータ。
【請求項６】
前記書き換え手段は、
居住者の居室からの操作にしたがって前記記憶装置に記憶される前記居室に対応する待ち時間情報を書き換える
ことを特徴とする請求項５に記載のエレベータ。
【発明の詳細な説明】
【技術分野】
【０００１】
本発明は、複数の階床に対して複数号機の乗りかごを就役させ、発生した乗場の呼びに対して評価関数を用いて選択した乗りかごを応答させる群管理制御を行なうエレベータに関する。
【背景技術】
【０００２】
従来、例えば特許文献１に開示されるように、各居室内の操作盤より指定時刻と呼び登録の操作を行なうことで、指定された時間に合うようにエレベータの乗りかごを配車する方法がある。
【０００３】
また、例えば特許文献２に開示されるように、玄関ドアの個人認証付き開錠装置と連動した呼び登録情報および玄関階の入り口から乗場までの移動時間を考慮して乗りかごを玄関階で待機させる方法がある。
【特許文献１】特許第３７７８３３６号公報
【特許文献２】特開２００２−２２０１７７号公報
【発明の開示】
【発明が解決しようとする課題】
【０００４】
しかしながら、前述したような、各居室内の操作盤を用いて指定時刻および呼び登録の操作を行なう方法では、利用者が都度時間を指定する必要があるので使い勝手が良くなかった。
【０００５】
また、前述した特許文献２に開示される方法では、所定時間内に利用者が乗りかごに乗り込んでいない状況が考慮されておらず、利用者を乗せない状態で乗りかごが出発してしまう可能性があった。また、エレベータが複数台で制御されている構成に適用した場合の評価計算方法が考案されていなかった。
【０００６】
そこで、本発明の目的は、乗場以外の箇所や乗りかご内以外の箇所からの操作にしたがって呼び登録を行なう場合に当該操作を行なった利用者の利便性を損なわないようにすることが可能になるエレベータを提供することにある。
【課題を解決するための手段】
【０００７】
すなわち、本発明に係わるエレベータは、複数の乗りかごと、乗りかご外の箇所からの操作や各階床の乗場以外の箇所からの操作により呼び登録を行なう呼び登録手段と、呼び登録手段により登録した呼び登録情報および呼び登録手段による呼び登録のための操作箇所に対応する待ち時間情報を出力する出力手段と、出力手段により出力された呼び登録情報にしたがって応答させる乗りかごを複数の乗りかごから選択する割当制御手段と、割当制御手段により選択して呼び登録情報に従って応答した乗りかごへの乗客の乗車を検知する検知手段と、呼び登録手段による呼び登録を行なった時点を起点として待ち時間が経過する時点までに割当制御手段により選択した乗りかごが呼び登録情報にしたがって応答した場合には待ち時間が経過する時点までは検知手段による乗車の検知の有無に関わらず戸開待機させ、応答後であって呼び登録を行なった時点を起点とした待ち時間が経過した後は検知手段により乗車を検知した場合に戸開待機を終了させ、呼び登録を行なった時点を起点とした待ち時間が経過した後に選択した乗りかごが呼び登録情報にしたがって応答した場合には通常の戸開待機時間が経過するまでは検知手段による検知の有無に関わらず戸開待機させ、当該戸開待機時間の経過後は検知手段により乗車を検知した場合に戸開待機を終了させることを特徴とする。
また、本発明に関わるエレベータは、複数の乗りかごと、乗りかご外の箇所からの操作や各階床の乗場以外の箇所からの操作により呼び登録を行なう呼び登録手段と、呼び登録手段により登録した呼び登録情報および呼び登録手段による呼び登録のための操作箇所に対応する待ち時間情報を出力する出力手段と、出力手段により出力された呼び登録情報にしたがって応答させる乗りかごを複数の乗りかごから選択する割当制御手段と、割当制御手段により選択して呼び登録情報にしたがって応答した乗りかごへの乗客の乗車を検知する検知手段と、呼び登録手段による呼び登録を行なった時点を起点として待ち時間が経過した後に検知手段により呼び登録情報にしたがって応答した乗りかごへの乗車を検知した場合に戸開を終了させる戸開制御手段とを備え、戸開制御手段は、割当制御手段により選択して呼び登録情報にしたがって応答した乗りかごについて、呼び登録を行なった時点を起点とした待ち時間が経過した後に検知手段により乗車を検知しない状態で所定の時点となり、かつ他階の一定数以上の乗場呼びが発生している場合には戸開待機を終了させ、割当制御手段は、割当制御手段により選択して呼び登録情報にしたがって応答した乗りかごについて、呼び登録を行なった時点を起点とした待ち時間が経過した後に検知手段により乗車を検知しない状態で所定の時点となり、かつ他階の一定数以上の乗場呼びが発生している事により戸開待機が終了して発車した場合に当該発車した階床へ応答させる乗りかごを複数の乗りかごから再度選択することを特徴とする。
【発明の効果】
【０００８】
本発明によれば、乗場以外の箇所や乗りかご内以外の箇所からの操作にしたがって呼び登録を行なう場合に当該操作を行なった利用者の利便性を損なわないようにする。
【発明を実施するための最良の形態】
【０００９】
以下図面により本発明の実施形態について説明する。  
（第１の実施形態）
まず、本発明の第１の実施形態について説明する。  
図１は、本発明の第１の実施形態におけるエレベータの構成例を示すブロック図である。  
図１に示すように、本発明の第１の実施形態におけるエレベータは、建物の入退出口のドアロック解除手段であるオートロック解除部１、居室内呼び登録部２、呼び登録情報追加部３、設定情報記憶部４、通信インタフェース５、各階床の乗場呼びを登録するための乗場呼び登録部６、呼び登録受付部７、割当制御部８および複数号機の乗りかご９を備える。また、各号機には自号機の乗りかご９の昇降を制御するための単体制御部１２が備えられる。ここでは、エレベータはＡ，Ｂ，Ｃ号機でなる３台の群管理の構成とする。単体制御部１２は自号機の乗りかご９の戸開制御手段としても機能する。
【００１０】
各号機の乗りかご９内には利用者が目的階を登録するための行先階登録部１０および乗降検知部１１が備えられる。また、オートロック解除部１は建物の居住者が操作するための玄関階操作盤１６と接続される。
【００１１】
また、図示はしないが、各号機の乗りかご９は当該乗りかご９に対応して設けられるシーブに巻き掛けられたロープを介してカウンタウェイトと連結されており、自号機の単体制御部１２からの制御にしたがった巻上機の駆動によるシーブの回転に伴い、カウンタウェイトとともに互いに上下反対方向に昇降する。
【００１２】
オートロック解除部１は、居住者による玄関階操作盤１６を用いた開錠操作や居住者でない来訪者による図示しない玄関階インターホンの操作によって来訪者を確認した居住者による居室内からの開錠操作にしたがって当該玄関階の入退出口のドアロック機構によるドアロックを解除する。
【００１３】
オートロック解除部１は、居住者が玄関階操作盤１６により入力した認証情報が正規の認証情報であることを判別することで外来者が正当な居住者であるとみなし、入退出口のドアロック機構によるドアロックを解除して当該入退出口が一定時間開扉するように制御するとともに、玄関階の乗場に乗りかご９を応答させるための呼び登録情報を呼び登録情報追加部３に出力する。
【００１４】
建物の各階の各居室内には玄関階への来訪者と通話するための図示しない居室内インターホンが備えられる。居室内呼び登録部２は各居室にそれぞれ備えられ、当該居室の居室内インターホンと接続される。居室内呼び登録部２は、各居室内の居住者による居室内インターホンの操作に従って、来訪者に対する玄関階の入退出口のドアロックの解除をオートロック解除部１に指示したり、当該居住者が外出する場合に居住階の乗場へ乗りかご９を応答させるための呼び登録処理を行なったりする。
【００１５】
オートロック解除部１は、来訪者が玄関階インターホンの操作により来訪先の部屋番号を示す信号を入力すると、部屋番号に対応する居室における居室内インターホンを呼び出す。これにしたがって居室内インターホンの受話器がとられた場合には通話可能な状態となる。
【００１６】
居室内インターホンを取り扱う居住者が玄関階インターホンを利用する来訪者との通話を経て当該来訪者の建物への入場およびエレベータ利用を認めて居室内インターホンの開錠釦を操作した場合には、居室内呼び登録部２は玄関階の入退出口のドアロックの解除指示信号をオートロック解除部１に出力する。
【００１７】
すると、オートロック解除部１は玄関階の入退出口のドアロックを解除して当該入退出口が一定時間開扉するように制御するとともに、玄関階の乗場に乗りかご９を応答させるための呼び登録情報を呼び登録情報追加部３に出力する。オートロック解除部１からの呼び登録情報には、呼び登録のための操作箇所が玄関階である旨を示すＩＤ番号が付加される。
【００１８】
また、居室内呼び登録部２は、各階の各居室内の居住者からの居室内インターホンの入力操作に従って当該居住者が外出する場合で居住階の乗場への呼び登録が指示された場合には、操作元の居室が属する階床の乗場へ乗りかご９を応答させるための呼び登録情報を呼び登録情報追加部３に出力する。居室内呼び登録部２からの呼び登録情報には、呼び登録のための操作箇所の居室に対応するＩＤ番号が付加されている。ＩＤ番号は例えば何階の何号室からの操作により登録された呼びであるかという情報を示す。  
つまり、オートロック解除部１や居室内呼び登録部２は乗りかご外の箇所からの操作や各階床の乗場以外の箇所からの操作により呼び登録を行なう呼び登録手段として機能する。
【００１９】
設定情報記憶部４は不揮発性の記憶装置であり、呼び登録のための操作箇所に対する移動推定時間が記憶される。当該移動推定時間は前述した操作箇所から同一階床の乗場までの操作者の移動所要時間の推定値である。
【００２０】
図２は、本発明の第１の実施形態におけるエレベータの設定情報記憶部に記憶される設定時間情報の一例を表形式で示す図である。  
図２に示した例では、呼び登録のための操作箇所が玄関階の入退出口であった場合に、当該から入退出口から玄関階の乗場までの操作者の移動所要時間の推定値が２０秒であることを示す。
【００２１】
呼び登録情報追加部３は、オートロック解除部１や居室内呼び登録部２からの呼び登録情報を入力した場合、当該呼び登録情報に含まれる操作箇所における移動時間の推定値を設定情報記憶部４から読み出して前述した呼び登録情報に付加情報として含ませて出力する。つまり、呼び登録情報追加部３は、呼び登録のための操作箇所に対応する待ち時間情報を出力する出力手段として機能する。
【００２２】
通信インタフェース５は、呼び登録情報追加部３から付加情報付きで出力された呼び登録情報を呼び登録受付部７に送信する。  
通信インタフェース５は、エレベータの製造元と異なる製造元が製作したオートロック解除部１、居室内呼び登録部２および呼び登録情報追加部３との間の通信に対応するための通信方式の変換などを行なう。通信方式には例えばＲＳ２３２Ｃ、ＲＳ４２２、Ethernet（登録商標）などのシリアル通信が代表例として挙げられる。
【００２３】
呼び登録受付部７は、通信インタフェース５経由で送信された付加情報付きの呼び登録情報と、乗場呼び登録部６から入力した通常の呼び登録情報とを合わせて割当制御部８に出力する。
【００２４】
各居室に対して居室内呼び登録部２が設置されているため居室内の住人は外出時に同一階床の乗場の乗場呼び登録部６の操作は必要ないが、宅配便の配達人などの来訪者が建物から退出する際は乗場呼び登録部６による呼び登録の操作を行なう必要がある。
【００２５】
割当制御部８は、呼び登録受付部７からの各種の呼び登録惰報と群管理制御下の複数の乗りかご９の運行状態および付加情報の有無を考慮して割当対象の乗りかご９を選択する。
【００２６】
割当制御部８は、呼び登録受付部７からの呼び登録情報に付加情報が含まれていない場合には乗りかご９の運行状態をもとに割当対象の乗りかご９を選択する。  
一方、割当制御部８は、呼び登録受付部７からの呼び登録情報に付加情報が含まれている場合には、乗りかご９の運行状態および付加情報で示される前述した操作箇所までの操作者の移動所要時間の推定値をもとに割当対象の乗りかご９を選択する。具体的には、割当制御部８は、移動所要時間の推定値より明らかに早い時間で応答可能な乗りかご９を選択しても玄関階の入退出口や居室内で呼び登録のための操作を行った利用者が応答先の乗場への到着を経て乗りかご９に乗り込めない可能性が高いことを考慮して、呼び登録の操作を行ったタイミングから移動所要時間の推定値が経過したタイミングに近く、かつできるだけ早いタイミングに応答可能な乗りかご９を選択することが望ましい。
【００２７】
乗りかご９内の乗降検知部１１は戸開中に当該乗りかご９内に設置された例えば２点設置の光電管で人の流れを検出することで利用者が乗車したかどうかを検知する検知手段であり、検知結果を自号機の単体制御部１２に出力する。
【００２８】
各号機の単体制御部１２は、予測到着時間演算部１３、乗車待ちカウンタ１４および乗降判別部１５を備える。  
単体制御部１２内の予測到着時間演算部１３は、自号機のかご位置、運転方向および既に登録された呼びなどを考慮し、新たな呼びが発生した場合に当該発生した呼びに対する自号機の乗りかご９の予測到着時間を演算し、演算結果を割当制御部８に返す。
【００２９】
単体制御部１２内の乗車待ちカウンタ１４は、割当制御部８からの割当指令が付加情報付きの割当指令であるか付加情報なしの割当指令であるかを判別し、割当てられた階に自号機の乗りかご９が到着した際に付加情報の有無により戸開時間をコントロールするためのカウントダウンを行なう。  
各号機の単体制御部１２内の乗降判別部１５は、自号機の乗りかご９に備えられた乗降検知部１１による検知結果をもとに乗りかご９内の利用者の乗り降りを判別する。
【００３０】
次に、図１に示した構成のエレベータの動作について説明する。  
図３は、本発明の第１の実施形態におけるエレベータによる処理動作の一例を示すフローチャートである。  
まず、玄関階のオートロック解除部１や居室内呼び登録部２から呼び登録情報が呼び登録情報追加部３に伝達されると（ステップＳ１）、呼び登録情報追加部３は、呼び登録情報で示される操作箇所が属する階床の乗場までの操作者の移動時間の推定値を設定情報記憶部４から読み出し、当該読み出した推定値を玄関階のオートロック解除部１や居室内呼び登録部２からの呼び登録情報の付加情報として含ませて通信インタフェース５を介して呼び登録受付部７に出力する（ステップＳ２）。
【００３１】
ここでは、５階の居住者が玄関階操作盤１６を用いて開錠操作を行ったこととし、玄関階の入退出口から当該玄関階の乗場までの移動時間の推定値は図２に示すように２０秒であるとする。
【００３２】
呼び登録受付部７は、呼び登録情報追加部３から出力された付加情報付きの呼び登録情報を入力した場合には、エレベータ各階の乗場に設置された乗場呼び登録部６からの一般的な呼び登録情報を合成し、当該合成した呼び登録情報を割当制御部８に出力する（ステップＳ３）。
【００３３】
また、呼び登録受付部７は、呼び登録情報追加部３から出力された付加情報付きの呼び登録情報を入力していない場合には乗場呼び登録部６からの一般的な呼び登録情報を割当制御部８に出力する。
【００３４】
割当制御部８は、呼び登録受付部７からの呼び登録情報を入力し、当該入力した情報に呼び登録情報追加部３からの付加情報付きの呼び登録情報が含まれる場合には、群管理制御下の各号機に対して、呼び登録受付部７からの呼び登録情報の付加情報で示される操作箇所が属する階床への乗りかご９の予測到着時間を算出するために各号機の単体制御部１２に対して予測到着時間の演算指令を出す。
【００３５】
また、割当制御部８は、呼び登録受付部７からの呼び登録情報を入力し、当該入力した情報に呼び登録情報追加部３からの付加情報付きの呼び登録情報が含まれていない場合には、群管理制御下の各号機に対して、乗場呼び登録部６からの一般的な呼び登録情報のうち応答前の最も早く登録された呼び登録情報で示される階床への乗りかご９の予測到着時間を算出するために各号機の単体制御部１２に対して予測到着時間の演算指令を出す。
【００３６】
各号機の単体制御部１２が割当制御部８からの演算指令を入力すると、予測到着時間演算部１３は、自号機のかご位置、運転方向、既に登録済みの乗場呼びや行先階登録部１０によって登録されたかご呼びなどを考慮し、割当制御部８から要求された予測到着時間の演算を行なう（ステップＳ４）。以後、呼び登録受付部７からの呼び登録情報に呼び登録情報追加部３からの付加情報付きの呼び登録情報が含まれている場合について説明する。
【００３７】
割当制御部８は、予測到着時間演算部１３による演算結果を群管理制御下の各号機の単体制御部１２から収集して、当該演算結果を考慮して割当号機を特定し、当該号機の単体制御部１２に対して割当指令を呼び登録受付部７からの呼び登録情報の付加情報を含ませて出力する（ステップＳ５）。ここでは割当号機はＡ号機であるとする。
【００３８】
割当指令を受けたＡ号機の単体制御部１２は、割当制御部８からの割当指令に含まれる付加情報、つまり、乗りかご９の応答先の階床の乗り場までの利用者の移動所要時間の推定値を認識する（ステップＳ６）。すると、乗車待ちカウンタ１４は当該推定値をセットしてカウントダウンを開始する（ステップＳ７）。
【００３９】
なお、乗車待ちカウンタ１４は各階床の上下方向の乗場呼びに全て対応できるように、例えば配列を利用して停止階床数の２倍の数のカウントを個別に行なえるものとする。ここでは乗車待ちカウンタ１４は玄関階である１階のＵＰ方向の呼び登録に対して２０秒をセットしてカウントダウンを開始する。
【００４０】
Ａ号機の単体制御部１２は、乗車待ちカウンタ１４によるカウント値が０になる前、つまりカウントダウン開始から２０秒より短い時間でＡ号機が応答先である１階の乗場に応答したことを認識した場合には（ステップＳ８，Ｓ９のＮＯ）、乗車待ちカウンタ１４によるカウント値が０になるまで１階で戸開待機させ（ステップＳ１０，Ｓ１１のＹＥＳ）、乗車待ちカウンタ１４によるカウント値が０になった後、つまりカウントダウン開始から２０秒を超えた時間でＡ号機が１階に応答したことを認識した場合には（ステップＳ８，Ｓ９のＹＥＳ）、通常の戸開時間、例えば４秒のカウントダウンを開始して、当該戸開時間が経過するまでは戸開待機させる（ステップＳ１２，Ｓ１３）。
【００４１】
ここで、Ａ号機の単体制御部１２内の乗降判別部１５が乗降検知部１１の検知結果をもとに利用者が乗車したことを検知した場合は（ステップＳ１４のＹＥＳ）、単体制御部１２はＡ号機についての、居室内から呼び登録のための操作を行った居住者の居住階である５階の行き先呼びを自動登録し、戸閉して乗りかご９を発車させる（ステップＳ１５）。
【００４２】
一方、乗降判別部１５がＡ号機の乗りかご９への利用者の乗車を検知できなかった場合（ステップＳ１４のＮＯ）、単体制御部１２は乗車待ちカウンタ１４によるカウント値が０となった場合でも、Ａ号機の乗りかご９を引き続き戸開待機させる（ステップＳ１６）。
【００４３】
ただし、単体制御部１２は、乗車待ちカウンタ１４によるカウント値が０となった後に、応答後の最大待ち時間である例えば６０秒がさらに経過しても乗降判別部１５が乗車を検知できない場合で（ステップＳ１７のＹＥＳ）、かつ、他階の乗場呼びが一定数以上発生している旨を示す信号を割当制御部８から入力していて、待機中の１階以外のサービス能力が著しく低下したことが認められる場合は（ステップＳ１８のＹＥＳ）、Ａ号機の乗りかご９を一旦戸閉して他階の乗場呼びに応答させるために発車させる（ステップＳ１９）。  
当該出発と同時に、Ａ号機の単体制御部１２は、割当制御部８に対してＡ号機に対する１階への応答のための再割当ての依頼信号を出力する（ステップＳ２０）。
【００４４】
割当制御部８は、再割当ての依頼信号を入力した場合は、再度全号機の単体制御部１２の予測到着時間の演算を行なう。ただし、既に最初に割当指令を出したＡ号機の乗車待ちカウンタ１４によるカウント値が０になっていることから、再割当てによって割当指令を出力する際には当初入力していた付加情報を付けずに割当指令を出力する。このように再割当ての場合には付加情報を付けないようにすることによって、必要以上に無駄な戸開動作を行なわなくて済む。
【００４５】
ここでは玄関のオートロック解除部１による開錠を経た呼び登録がなされた場合の例を示したが、居室内から呼び登録した場合でも同様の方法で実現が可能なのは言うまでもない。ただし、この場合には、既に利用客が乗車中の号機の乗りかご９が割当てられる可能性があるため、応答先の階床への予測到着時間が乗車待ちカウンタ１４の設定値を下回る号機が割当てられた場合は、当該号機が到着した場合に乗車中の利用者を戸開状態で待たせる可能性がある。よって、割当制御部８は、居室内の操作による呼び登録情報を入力した際は、予測到着時間が乗車待ちカウンタ１４の設定値以上となる号機を割当てることが望ましい。
【００４６】
以上のように、本発明の第１の実施形態におけるエレベータでは、利用者が玄関のオートロック解除部１や居室内呼び登録部２によって各階床の乗場や乗りかご内から離れた位置からの操作により呼び登録がなされた場合に、当該操作を行った利用者は、時間指定操作を行わずとも操作箇所から乗場までの移動を経て乗りかご９へ乗り込むまで戸開が維持されるので、応答した乗りかご９に乗り遅れる心配が無くなる。よって、乗場以外の箇所や乗りかご内以外の箇所からの操作にしたがって呼び登録を行なう場合に当該操作を行なった利用者の利便性を損なわないようにすることができる。
【００４７】
（第２の実施形態）
次に、本発明の第２の実施形態について説明する。なお、本実施形態に係るエレベータ構成のうち図１に示したものと同一部分の説明は省略する。  
図４は、本発明の第２の実施形態におけるエレベータの構成例を示すブロック図である。  
図４に示すように、本発明の第２の実施形態におけるエレベータは第１の実施形態と比較して、設定情報記憶部４に記憶されている移動時間の推定値を実測値などをもとに書き換える書き換え処理部１７をさらに備える。
【００４８】
設定情報記憶部４は記憶内容が書換え可能な不揮発性メモリである。エレベータ保守員やマンション管理人などが書き換え処理部１７の操作ボタンを操作することによって設定情報記憶部４に記憶される移動所要時間の推定値を書き換えることができる。
【００４９】
建物を実際に利用する段階になると、各居室からの移動時間などが設計段階での推定値からの差異が大きくなってしまう場合がある。本実施形態では、設定情報記憶部４に記憶される移動所要時間の推定値を書き換え処理部１７を用いて調整することで、設計段階での推定値の差異や居住者からの設定値の変更の要望に容易に対応することができる。
【００５０】
（第３の実施形態）
次に、本発明の第３の実施形態について説明する。なお、本実施形態に係るエレベータ構成のうち図１に示したものと同一部分の説明は省略する。  
本実施形態では、設定情報記憶部４は不揮発性メモリである。各居室の居住者は居室内インターホンを操作して、当該居室を操作箇所とした場合の同一階床の乗場までの操作者の移動所要時間の推定値の入力操作を行なうと、居室内呼び登録部２は呼び登録情報追加部３を介して設定情報記憶部４にアクセスして、設定情報記憶部４に記憶される操作箇所の部屋番号に対応する移動所要時間の推定値を書き換える。
【００５１】
このように、本実施形態では、各居室の住人自らの操作により設定情報記憶部４に記憶される、当該居室が操作箇所である場合の移動所要時間の推定値をカスタマイズすることができる。よって、エレベータ保守員やマンション管理人などがわざわざ住民からの要望にしたがって推定値変更作業を行なう必要がなくなる。
【００５２】
以上説明した実施形態では、玄関階の入退出口や居室での操作による呼び登録情報にしたがって応答した乗りかご９について一定時間が経過しても乗車を検知出来ずに他階の乗場呼びが一定数以上登録されている場合には、戸閉して発車させた後に応答先の階床への乗りかご９の再割当を行なう構成であると説明した。しかし、これに限らず、オートロック解除部１や居室内呼び登録部２からの呼び登録情報にしたがって応答した乗りかご９が乗車待ちカウンタ１４によるカウント値が０になる前の明らかに早いタイミング、例えばカウントダウン値が１０秒を越えるタイミングで発車した場合には、玄関階の入退出口や居室内での操作を行った利用者と異なる建物内の乗客が乗りかご９に先に乗車して戸閉釦を操作したとみなして、発車後に発車元の階床への乗りかご９の再割当を行なうようにしてもよい。これにより、玄関階の入退出口や居室内での操作を行った利用者へのサービスが確保される。
【００５３】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００５４】
【図１】本発明の第１の実施形態におけるエレベータの構成例を示すブロック図。
【図２】本発明の第１の実施形態におけるエレベータの設定情報記憶部に記憶される設定時間情報の一例を表形式で示す図。
【図３】本発明の第１の実施形態におけるエレベータによる処理動作の一例を示すフローチャート。
【図４】本発明の第２の実施形態におけるエレベータの構成例を示すブロック図。
【符号の説明】
【００５５】
１…オートロック解除部、２…居室内呼び登録部、３…呼び登録情報追加部、４…設定情報記憶部、５…通信インタフェース、６…乗場呼び登録部、７…呼び登録受付部、８…割当制御部、９…乗りかご、１０…行先階登録部、１１…乗降検知部、１２…単体制御部、１３…予測到着時間演算部、１４…乗車待ちカウンタ、１５…乗降判別部、１６…玄関階操作盤、１７…書き換え処理部。
【図１】
0005182695.tif 000002
【図２】
0005182695.tif 000003
【図３】
0005182695.tif 000004
【図４】
0005182695.tif 000005